(57)【要約】  さまざまなタイプの患者に適合するように患者支持テーブルの一部分の高さを調節するシステムおよび方法を開示する。患者支持テーブルは、中央セクションの両側に位置する第１のセクションおよび第２のセクションに対して移動可能な中央セクションを含む。リフト機構が支持テーブルに取り付けられ、固定された第１のセクションおよび第２のセクションに対して中央セクションを上昇および下降させる。中央セクションが完全に上昇した位置にあるとき、患者支持プラットフォームは、プラットフォーム駆動機構によって医療用走査装置の内外に移動することができる。リフト機構は、患者支持テーブルに収められる。プラットフォーム駆動機構は、患者支持テーブルが固定されているか移動可能かに応じて、患者支持テーブルまたは医療用走査装置のいずれかに取り付けることができる。【選択図】図１
2018500985.tif 000002
【特許請求の範囲】
【請求項１】
床（３６）上に患者（３２）を支持する患者支持テーブル（１２、８２）であって、
第１の高さに位置する第１のセクション（２６）と、
前記第１の高さに位置する第２のセクション（２８）と、
前記第１のセクション（２６）および前記第２のセクション（２８）との間に配置された中央セクション（３０）であって、前記中央セクション（３０）が前記第１の高さにある上昇位置と、前記中央セクション（３０）が前記第１の高さよりも低い第２の高さにある下降位置との間で移動可能な中央セクション（３０）と
を含む患者支持プラットフォーム（１６）と、
前記支持テーブル（１２、８２）に取り付けられ、かつ、前記中央セクション（３０）を前記上昇位置と前記下降位置との間で移動させるように動作するリフト機構（４４）と
を備える患者支持テーブル（１２、８２）。
【請求項２】
前記第２の高さが前記床（３６）上３５０〜４００ｍｍの範囲にある、請求項１に記載の患者支持テーブル（１２、８２）。
【請求項３】
前記中央セクション（３０）に取り付けられた少なくとも１つのアームボード（３８）をさらに備え、前記アームボード（３８）が上昇位置と下降位置との間で移動可能である、請求項１に記載の患者支持テーブル（１２、８２）。
【請求項４】
前記中央セクション（３０）と共に移動するために前記中央セクション（３０）にそれぞれ取り付けられた一対のアームボード（３８）をさらに備え、前記一対のアームボード（３８）のそれぞれが上昇位置と下降位置との間で移動可能である、請求項３に記載の患者支持テーブル（１２、８２）。
【請求項５】
前記リフト機構（４４）が前記中央セクション（３０）の一端にそれぞれ結合された一対のねじ付きリードスクリュー（４６）を含み、前記リードスクリュー（４６）の回転により前記中央セクション（３０）が前記上昇位置と前記下降位置との間で移動する、請求項１に記載の患者支持テーブル（１２、８２）。
【請求項６】
前記リフト機構（４４）が前記支持テーブル（１２、１８）の基部（２０、８６）に取り付けられた駆動モータ（５４）を含み、前記駆動モータ（５４）が前記リードスクリュー（４６）を回転させる、請求項５に記載の患者支持テーブル（１２、１８）。
【請求項７】
前記第２のセクション（２８）に取り付けられ、前記患者支持プラットフォーム（１６）を前記支持テーブル（１２、１８）の前記基部（２０、８６）に対して移動させるように動作するプラットフォーム駆動機構（７２、９０）をさらに備える、請求項１に記載の患者支持テーブル（１２、１８）。
【請求項８】
前記患者支持テーブル（１２、１８）が移動可能であるように、複数の支持ホイール（８４）に取り付けられた基部（２０、８６）をさらに備える、請求項１に記載の患者支持テーブル（１２、１８）。
【請求項９】
医療用走査装置（１０）による医療走査手技中に患者（３２）を支持する患者支持テーブル（１２、１８）であって、
第１の高さに位置する第１のセクション（２６）と、
前記第１の高さに位置する第２のセクション（２８）と、
前記第１のセクション（２６）および前記第２のセクション（２８）との間に配置された中央セクション（３０）であって、前記中央セクション（３０）が前記第１の高さにある上昇位置と、前記中央セクション（３０）が前記第１の高さより低い第２の高さにある下降位置との間で移動可能な中央セクション（３０）と、
前記中央セクション（３０）を前記上昇位置と前記下降位置との間で移動させるように動作するリフト機構（４４）と、
前記第１のセクション（２６）、前記第２のセクション（２８）、および前記中央セクション（３０）を含む前記患者支持プラットフォーム（１６）を前記医療用走査装置（１０）内に移動させるように動作するプラットフォーム駆動機構（７２、９０）と
を含む患者支持プラットフォームを備える、
患者支持テーブル（１２、１８）。
【請求項１０】
前記第１のセクション（２６）、前記第２のセクション（２８）および前記中央セクション（３０）が前記第１の高さに位置するときに相互に連結される、請求項９に記載の患者支持テーブル（１２、１８）。
【請求項１１】
前記プラットフォーム駆動機構（７２、９０）が、前記医療用走査装置（１０）を通って延在する少なくとも１つの駆動ベルト（７４）に結合された駆動モータ（５４）を含む、請求項１０に記載の患者支持テーブル（１２、１８）。
【請求項１２】
前記第２の高さが、前記床（３６）から３５０〜４００ｍｍの範囲にある、請求項９に記載の患者支持テーブル（１２、１８）。
【請求項１３】
前記プラットフォーム駆動機構（７２、９０）が前記第２の支持プラットフォームに取り付けられる、請求項９に記載の患者支持テーブル（１２、８２）。
【請求項１４】
前記中央セクション（３０）に取り付けられ、前記中央セクション（３０）と共に移動可能な一対のアームボード（３８）をさらに備え、前記一対のアームボード（３８）のそれぞれが上昇位置と下降位置との間で移動可能である、請求項９に記載の患者支持テーブル（１２、１８）。
【請求項１５】
前記リフト機構（４４）が、前記中央セクション（３０）の一端にそれぞれ結合された１対のねじ付きリードスクリュー（４６）を含み、前記リードスクリュー（４６）の回転により前記中央セクション（３０）が移動する、請求項９に記載の患者支持テーブル（１２、１８）。
【請求項１６】
前記患者支持テーブル（１２、１８）が複数のホイール（８４）を有する基部（２０、８６）に取り付けられ、前記患者支持テーブル（１２、１８）が可動式である、請求項９に記載の患者支持テーブル（１２、１８）。
【請求項１７】
前記医療用走査装置（１０）に形成されたブリッジ延長部（８８）をさらに備え、前記ブリッジ延長部（８８）が前記第２のセクション（２８）と係合し、前記ベルト駆動機構（７２、９２）が前記ブリッジ延長部（８８）に取り付けられる、請求項１６に記載の患者支持テーブル（１２、８２）。
【請求項１８】
患者支持プラットフォーム（１６）の中央セクション（３０）を第１の高さから下げるステップと、
前記中央セクション（３０）が前記第１の高さよりも低いときに患者を前記中央セクション（３０）に乗せるステップと、
前記中央セクション（３０）を前記第１の高さまで上昇させて前記患者支持プラットフォーム（１６）の前記中央セクション（３０）、第１のセクション（２６）および第２のセクション（２８）を実質的に同じ高さにするステップと、
プラットフォーム駆動機構（７２、９０）を作動させて前記中央セクション（３０）、前記第１のセクション（２６）および前記第２のセクション（２８）を含む前記患者支持プラットフォーム（１６）を前記医療用走査装置（１０）内に移動させるステップと
を含む、患者を医療用走査装置（１０）の内外に移動させる方法。
【請求項１９】
前記患者支持テーブル（１２、８２）に取り付けたリフト機構（４４）が、前記中央セクション（３０）を上昇位置と下降位置との間で移動させるように動作する、請求項１８に記載の方法。
【請求項２０】
前記プラットフォーム駆動機構（７２、９０）が、前記患者支持テーブル（１２、８２）に取り付けられる、請求項１８に記載の方法。
【発明の詳細な説明】
【技術分野】
【０００１】
本発明は、概して、患者支持テーブルの一部分の高さを調節するシステムおよび方法に関する。より具体的には、本開示は、患者支持テーブルが多種多様な患者のニーズに対応することができ、患者支持テーブルの人間工学的な向上が可能となるように、患者のタイプに応じて患者支持テーブルの一部分の高さを調節するシステムおよび方法に関する。
【背景技術】
【０００２】
磁気共鳴イメージング（ＭＲＩ）装置、Ｘ線装置、陽電子放射断層撮影（ＰＥＴ）スキャナおよびコンピュータ断層撮影（ＣＴ）スキャナ等の医療用画像診断および走査システムは、当業界においてよく知られている。そのような機器により、内部損傷、癌性腫瘍等のさまざまな医学的状態を診断可能な医療走査手技を実施することができる。
【０００３】
さまざまなタイプのＣＴおよびＭＲＩスキャナで患者の画像を得るためには、患者が走査装置内の所定の位置に正確に位置付けられることが必要である。このような理由から、走査装置は、患者をスキャナに対して適切に位置決めするために垂直に移動可能な患者支持テーブルを含む。さらに、患者支持テーブルの支持プラットフォームは水平に移動可能であり、患者を走査装置の内外に移動させる。
【０００４】
さまざまな患者に適合するように、患者支持テーブルの高さは、検査室において医療従事者によって手動で調節することができる。このような調節の間、テーブル上に乗せられている患者に応じて、テーブルの上面全体を上昇または下降させることができる。現在利用できる調節可能な患者支持テーブルでは、テーブルの上面全体を上昇および下降させて最初に患者をテーブルに乗せ、患者が乗せられた後、テーブルを検査に必要な高さまで上昇させる。
【０００５】
現在利用できる調節可能な患者支持テーブルは、上面全体を下降した高さまで下げることができるが、下降した高さは、移動可能な患者に対する利点でしかない。患者がストレッチャーに乗っている場合は、患者をストレッチャーから患者支持テーブルに移載できるように、患者支持テーブルの上面全体が上昇位置のまま留められる。さらに、病院および診療所において患者の体重が増加していることから、現在利用できる調節可能な患者支持テーブルは、より大柄な患者をハンドリングできる必要がある。
【発明の概要】
【０００６】
本発明は、概して、患者支持テーブルの一部分の高さを調節するシステムおよび方法に関する。患者支持テーブルの中央セクションは、完全に下降した位置と完全に上昇した位置との間で移動可能であり、多種多様な患者のニーズに対応し、患者支持テーブルの人間工学的性能を高める。
【０００７】
本開示の患者支持テーブルは、医療用走査装置によって実施される医療走査手技中に患者を支持することができるように、床上に患者を位置決めし支持するように動作する。患者支持テーブルは、所望に応じて医療用走査装置の内外に移動可能な患者支持プラットフォームを含む。
【０００８】
患者支持テーブルの患者支持プラットフォームは、第１のセクションおよび第２のセクションを含み、それぞれが床上の第１の高さに位置する。中央セクションは、第１のセクションと第２のセクションとの間に配置され、固定された第１のセクションおよび第２のセクションに対して移動可能である。中央セクションは、中央セクションが第１のセクションおよび第２のセクションと同じ高さにある上昇位置の間に移動可能である。上昇位置において、中央セクション、第１のセクション、および第２のセクションは、同一の第１の高さに位置付けられて、患者を仰臥位で支持することができる患者支持プラットフォームを形成する。
【０００９】
中央セクションは、中央セクションが第１の高さよりかなり低い第２の高さにある完全に下降した位置まで下降させることができる。中央セクションが下降位置にあるとき、患者は中央セクションに着座することができる。
【００１０】
患者支持テーブルはさらにリフト機構を含み、リフト機構は支持テーブルに取り付けられて、中央セクションを上昇位置と下降位置との間で上昇および下降させることができる。最初に完全に下降した位置で患者が中央セクションに受け入れられると、リフト機構を作動させ、中央セクションを下降した第２の高さから上昇した第１の高さまで上昇させることができる。リフト機構が中央セクションを上昇位置に上昇させると、患者は完全に形成された患者支持プラットフォーム上に横たわることができる。
【００１１】
本開示の考えられる実施形態において、中央セクションは、中央セクションと共に移動可能な一対のアームボードを含むことができる。一対のアームボードのそれぞれは、上昇位置と下降位置との間で個別に移動可能である。アームボードが上昇位置にあるとき、アームボードは、着座した患者のための背もたれとして機能することができる。アームボードが下降位置にあるとき、アームボードは、着座した患者のための大腿部支持体として機能することができる。
【００１２】
本開示の一実施形態において、リフト機構は、移動可能な中央セクションの一端にそれぞれ結合された１対のねじ付きリードスクリューを含む。リフト機構の一部分を形成する駆動モータは、一対のねじ付きリードスクリューを回転させるように動作する。ねじ付きリードスクリューの回転により、回転方向に応じて中央セクションが上方または下方に移動する。このようにして、リフト機構は、固定された第１のセクションおよび第２のセクションに対して中央セクションを上昇および下降させることができる。
【００１３】
本開示の一実施形態において、患者支持テーブルは、医療用走査装置に対して固定されている。代替実施形態において、患者支持テーブルは可動式であり、医療用走査装置から離れることができる。各実施形態において、中央セクションを上昇および下降させるために使用されるリフト機構は、患者支持テーブルの基部に収められている。
【００１４】
患者支持テーブルは、患者支持プラットフォームを医療用走査装置の内外に移動させるように動作するプラットフォーム駆動機構をさらに含む。患者支持テーブルが固定式である実施形態において、プラットフォーム駆動機構は患者支持テーブルの第２のセクションに取り付けられる。患者支持テーブルが移動可能である実施形態において、プラットフォーム駆動機構は、医療用走査装置の固定された部分に取り付けられる。いずれの場合においても、プラットフォーム駆動機構は、第１のセクション、中央セクションおよび第２のセクションを含む患者支持プラットフォーム全体を医療用走査装置の内外へ移動させるように動作する。本開示の一実施形態において、プラットフォーム駆動機構は、医療用走査装置を通って延在している一対のベルトと係合するベルト駆動装置である。ベルト駆動装置の動作は、所望に応じて患者支持プラットフォームを医療用走査装置の内外に移動させる。
【００１５】
本発明のさまざまな他の特徴、目的および利点は、図面と併せて以下の説明から明らかになるであろう。
【００１６】
図面は、本開示の実施について現在考えられる最良の形態を示す。図面は以下の通りである。
【図面の簡単な説明】
【００１７】
【図１】医療用走査装置の前に配置された患者支持テーブルを示す上端斜視図である。
【図２】患者支持テーブルおよび医療用走査装置の側面図である。
【図３】中央セクションが下降位置にある患者支持テーブル上の患者を示す側面斜視図である。
【図４】患者支持テーブルの上面斜視図である。
【図５】中間位置にある支持プラットフォームの中央セクションを示す上面斜視図である。
【図６】患者支持テーブルに支持された患者を示す上面図である。
【図７】医療用走査装置を通って支持プラットフォームを移動させるベルトトラックを示す図である。
【図８】患者支持テーブルに収められたベルト駆動装置を示す図である。
【図９】医療用走査装置の前に配置された患者支持テーブルの第２の実施形態を示す上端斜視図である。
【図１０】患者支持テーブルの第２の実施形態の側面図である。
【図１１】中央セクションが完全に下降した位置にある患者支持テーブルの第２の実施形態を示す斜視図である。
【図１２】中央セクションが中間位置にある患者支持テーブルの第２の実施形態を示す図である。
【図１３】中央セクションが完全に上昇した位置にある患者支持テーブルの第２の実施形態を示す側面図である。
【図１４】移動可能な患者支持テーブルとともに使用するブリッジ延長部を含む医療用走査装置の正面斜視図である。
【発明を実施するための形態】
【００１８】
本明細書においては、簡潔さ、明瞭さおよび理解のために特定の用語を使用している。そのような用語は説明のためにのみ使用され、広義に解釈されることを意図しており、この理由から、先行技術の要件を超えて、そこから不必要な限定が適用されることはない。本明細書に記載の異なるシステムおよび方法は、単独で、または他のシステムおよび方法と組み合わせて使用することができる。添付の特許請求の範囲内で、さまざまな等価物、代替物および改変が可能である。添付の特許請求の範囲におけるそれぞれの限定は、「手段」または「ステップ」の用語がそれぞれの限定において明示的に記載されている場合にのみ、３５  Ｕ．Ｓ．Ｃ．第１１２条第６パラグラフに基づく解釈を適用することを意図する。
【００１９】
図１は、本開示に従って構成された患者支持テーブル１２の例示的実施形態と共に示される医療用走査装置１０を示す。当業者には知られているように、医療用走査装置１０は、場発生器を内蔵する環状ガントリ１４を含み、場発生器がガントリの反対側の検出器アレイに向けて光線を投射する。医療用走査装置１０は、患者が患者支持テーブル１２の患者支持プラットフォーム１６に支持されたときに、患者に医療走査手技を実施することができる。支持プラットフォーム１６は、ガイドトラック１８に沿ってガントリ１４の内外へ水平に移動可能である。
【００２０】
図１に示す実施形態において、患者支持テーブル１２は、医療用走査装置１０に対して固定されているが、後の図に示す代替実施形態は、可動デバイスとしての患者支持テーブル１２を提示する。図１に示す患者支持テーブル１２は、固定された基部２０に取り付けられている。固定された基部２０は、医療用走査装置１０の前面２２の近くに取り付けられている。
【００２１】
本開示によれば、患者支持テーブル１２の支持プラットフォーム１６は、複数のセクションを含む。具体的には、支持プラットフォーム１６は、移動可能な中央セクション３０の両側に配置された固定された第１のセクション２６および固定された第２のセクション２８を含む。中央セクション３０は、図１に示す完全に下降した位置から、図６に示す完全に上昇した位置まで移動可能である。
【００２２】
図６に示すように、中央セクション３０が完全に上昇した位置にあるとき、中央セクション３０の概して平坦な上面３４は、第１のセクション２６および第２のセクション２８の両方の上面３５、３７と同一平面上にある。完全に上昇した位置にあるとき、第１のセクション２６、第２のセクション２８および中央セクション３０は、患者３２を仰臥位で支持することができる。
【００２３】
中央セクション３０が図１〜図４に示すように完全に下降した位置にあるとき、中央セクション３０の上面３４は、基部２０を支持する床３６上約３５０〜４００ｍｍに位置する。中央セクション３０がこの完全に下降した位置にあるとき、患者３２は、図３に示すように、中央セクション３０上に容易に着座することができる。図１〜図４に示す実施形態において、中央セクション３０は、約１メートルの長さを有し、７５０ポンドまでの重量を有する患者を支持するように設計されている。中央セクションのこれらの寸法および最大７５０ポンドの患者を支持する能力は、患者支持テーブル１２がほぼ全てのサイズの患者に適合することを可能にする。
【００２４】
中央セクション３０は、中央セクション３０の両側面に配置された第１のアームボード３８ａおよび第２のアームボード３８ｂを含む。図１〜図３に示す状態において、アームボード３８ｂは、図３に示すように、患者３２が中央セクション３０に着座することを可能にする下降位置にある。反対側のアームボード３８ａは、着座した患者３２の背もたれとして機能する上昇位置にある。アームボード３８ｂが下降位置にあるとき、アームボード３８ｂは、患者が着座位置にある場合の患者の大腿部支持体としても機能する。
【００２５】
患者支持テーブル１２の中央セクション３０は、第１の端部４０および第２の端部４２の両方でリフト機構４４によって支持されており、これは図４に最もよく示されている。リフト機構４４は、中央セクション３０の第１の端部４０および第２の端部４２のそれぞれに確実に取り付けられたねじ付きカラー４８内にそれぞれ組み合わされる一対のねじ付きリードスクリュー４６を含む。一対のリードスクリュー４６が回転すると、リードスクリュー４６とカラー４８との間でねじ面の相互作用により、中央セクションが固定された第１のセクション２６および第２のセクション２８に対して上方または下方に移動する。ねじ付きリードスクリュー４６に加えて、中央セクション３０の各端部は、リードスクリュー４６の両側に位置する一対の支持ロッド５０に沿って移動する。各支持ロッド５０は、支持カラー５２を貫通して、中央セクション３０の垂直方向の移動をさらに誘導する。
【００２６】
図５に示すように、駆動モータ５４は、基部２０に収められている。駆動モータ５４は、一連の歯車（図示せず）を介してリードスクリュー４６の回転を引き起こす駆動シャフト５６を回転させるように動作する。駆動モータ５４の動作は、遠隔的にまたは患者支持テーブル１２に収められた制御装置を介して制御することができる。
【００２７】
図１および図２に戻って参照すると、支持プラットフォーム１６の固定された第１のセクション２６および第２のセクション２８はそれぞれ、一対のアルミニウムフレーム５８によって床上９６５ｍｍの第１の高さに支持される。図１に示すように、保護シュラウド６０は、中央セクション３０の各端部でリードスクリュー４６および支持ロッド５０を隠す。
【００２８】
図５に戻って参照すると、患者３２が中央セクション３０に着座すると、中央セクション３０を図４に示す下降位置から図６に示す完全に上昇した位置まで上昇させることができる。この移動中、患者３２は、中央セクションに支持され、アームボード３８ａにもたれかかることができる。
【００２９】
図５に示すように、中央セクション３０は、第１の端部４０の近くに形成された磁気ラッチ６４および第２の端部４２の近くに形成された第２の磁気ラッチ６６を含む。中央セクション３０は、一対の磁気ラッチ６４、６６を含むものとして示されているが、磁気ラッチに加えて、またはそれに関連して、機械的ラッチを利用し得ることを理解されたい。磁気ラッチ６４は、第２のセクション２８に形成された同様のラッチ６２と相互作用し、磁気ラッチ６６は、第１のセクション２６に形成されたラッチ６８と係合する。
【００３０】
中央セクション３０が完全に上昇した位置に到達すると、第２のセクション２８に形成された磁気ラッチ６２は、中央セクション３０の同様のラッチ６４に係合する。磁気ラッチによる係止に加えて、機械的ラッチを使用して、中央セクション３０を第２のセクション２８と接合することもできる。
【００３１】
中央セクションの反対側の端部は、第１のセクション２６に形成されたラッチ６８と係合する同様の磁気ラッチ６６を含む。中央セクション３０と第１のセクション２６および第２のセクション２８のそれぞれとの係止は、図６に示す完全に上昇した位置への中央セクション３０の移動時にのみ生じる。
【００３２】
中央セクション３０が図６に示す完全に上昇した位置になると、アームボード３８が下降し、患者を医療用走査装置１０に送り込む準備が整う。図６から理解できるように、患者支持テーブル１２の支持プラットフォーム１６は、一対のサイドレール７０によって誘導される。
【００３３】
ここで図７および図８を参照すると、患者支持テーブルの第２のセクション２８は、一対のベルト７４と協働して患者支持プラットフォーム全体を医療用走査装置１０の内外に移動させるプラットフォーム駆動機構７２を含む。デュアルベルト駆動機構７２は、第２のセクション２８の下に配置され、支持プラットフォーム全体を医療用走査装置１０の内外に移動させる。図２に示すように、ベルト７４のそれぞれは、固定された後部ペデスタル７８に収められたプーリ７６上を通過する。デュアルベルト駆動機構７２が作動すると、ベルトは、患者支持プラットフォーム全体を医療用走査装置１０内外に移動させる。支持プラットフォームは、後部ペデスタル７８の後端部８０まで移動することができる。
【００３４】
図２に示すように、中央セクション３０は、キャリア５１に取り付けられた患者支持部材４９を含む。患者支持部材４９は、中央セクションが上昇して第１のセクション２６および第２のセクション２８と同一平面上になると、キャリア５１から移動することができる。
【００３５】
図１〜図８に示す実施形態において理解できるように、患者支持テーブル１２は固定され、リフト機構４４が基部に収められる一方、患者支持プラットフォームを医療用走査装置１０の内外に移動させるために使用されるプラットフォーム駆動機構７２は、医療用走査装置１０に最も近接して位置する第２のセクション２８の下に取り付けられる。
【００３６】
図９〜図１５は、患者支持テーブル８２が可動式であり、一連の支持ホイール８４に取り付けられた、同様の、第２の実施形態を示す。患者支持テーブル８２は、同様の第１のセクション２６および第２のセクション２８ならびに移動可能な中央セクション３０を含む。しかし、図に示される実施形態において、可動式患者支持テーブル８２は、その上に支持された患者の有無に関わらず、医療用走査装置１０に接近したり離れたりすることができる。中央セクション３０は、図１２に最もよく示されているように、患者支持テーブル８２の基部８６に取り付けられた駆動モータ５４を有する同様のリフト機構４４を利用して、やはり移動可能である。駆動モータ５４は、この場合も駆動シャフト５６の回転に動力を与え、駆動シャフト５６は、中央セクション３０の両側の端部に位置する同様のリードスクリュー４６を回転させる。しかし、患者支持テーブル８２が可動式であり、医療用走査装置から離れて位置することができることから、患者支持テーブル８２は、駆動モータ５４に電力を供給して中央セクション３０を上昇および下降させるために使用することができるバッテリバックアップを含む。
【００３７】
図１１に示すように、第１のセクション２６および第２のセクション２８は、この場合も１対のアルミニウムフレーム５８上の第１の高さに固定される。保護シュラウド６０は、中央セクション３０のいずれかの端部でリードスクリュー４６および一対の支持ロッド５０を隠す。
【００３８】
移動可能な患者支持テーブルで示される実施形態において、医療用走査装置１０は、図１５に最もよく示されているようにブリッジ延長部８８を含む。ブリッジ延長部８８は、前面２２から延在し、プラットフォーム駆動機構９０のための支持位置を提供する。第１の実施形態と同様に、プラットフォーム駆動機構９０は、図１０に最もよく示されているデュアルベルト駆動装置であり、医療用走査装置１０を通って延在し、後部ペデスタル７８に配置されたプーリ７６上を移動する一対の駆動ベルト７４と係合する。
【００３９】
前述した患者支持テーブルの固定された実施形態と同様に、患者支持テーブル８２の可動式の実施形態において、中央セクション３０は、図１０に示す下降位置と図１３に示す完全に上昇した位置との間で移動可能である。図１０に示す下降位置において、中央セクションの高さは３５０〜４００ｍｍであり、完全に上昇した位置の高さは９６５ｍｍである。
【００４０】
両方の実施形態において、患者が最初に患者支持テーブルを提示されるとき、中央セクション３０は、図３および図１１にそれぞれ示されるように完全に下降した位置に移動させることができる。この位置において、患者は中央セクション３０に着座することができ、患者支持テーブルへのより容易な乗降が提供される。この位置になると、オペレータは、中央セクションを下降位置から図５および図１２に示す中間位置に移動させ、最終的に図６および図１３に示す完全に上昇した位置に移動させるリフト機構を作動させることができる。患者が完全に上昇した位置になると、患者はテーブルに横たわり、医療用走査装置１０による走査の準備をすることができる。
【００４１】
患者がテーブルに横たわると、中央セクション３０と一対の外側セクション２６、２８との間の機械的ラッチ部材および磁気ラッチ部材は、患者支持プラットフォーム全体が１つのユニットとして移動することを可能にする。患者支持プラットフォームの移動は、第１の実施形態においてはプラットフォーム駆動機構７２によって、および第２の実施形態においてはプラットフォーム駆動機構９０によって実施される。プラットフォーム駆動機構は、支持プラットフォーム全体が既知の方法で医療用走査装置１０の内外に移動することを可能にする。
【００４２】
本開示に示される患者支持テーブルの実施形態において、中央セクションは、少なくとも７５０ポンドを支持し、床上３５０〜４００ｍｍの下降位置と床上９５０ｍｍの完全に上昇した位置との間で移動可能に設計されている。このようにして、患者支持テーブルは、さまざまなサイズ、体重および身体能力を有する全ての患者に対応することができる。同様に、患者がストレッチャーに支持されている場合は、中央セクションを完全に上昇した位置に動かすことができ、患者をストレッチャーから患者支持テーブルに直接移載することができる。
【００４３】
この書面による説明は、本発明を開示するために最良の形態を含んで例を使用し、さらに当業者が本発明を製造し使用することを可能にする。本発明の特許可能な範囲は、特許請求の範囲によって定められ、当業者が想到する他の例を含むことができる。そのような他の例は、それらが本特許請求の範囲の文言と異ならない構成要件を有する場合、または本特許請求の範囲の文言と実質的な差異を有さない等価の構成要件を含む場合に、本特許請求の範囲にあると意図される。
【符号の説明】
【００４４】
１０  医療用走査装置
１２  患者支持テーブル
１４  環状ガントリ
１６  患者支持プラットフォーム
１８  ガイドトラック
２０  基部
２２  前面
２６  第１のセクション、外側セクション
２８  第２のセクション、外側セクション
３０  中央セクション
３２  患者
３４  中央セクションの上面
３５  第１のセクションの上面
３６  床
３７  第２のセクションの上面
３８  アームボード
３８ａ  第１のアームボード
３８ｂ  第２のアームボード
４０  第１の端部
４２  第２の端部
４４  リフト機構
４６  ねじ付きリードスクリュー
４８  ねじ付きカラー
４９  患者支持部材
５０  支持ロッド
５１  キャリア
５２  支持カラー
５４  駆動モータ
５６  駆動シャフト
５８  アルミニウムフレーム
６０  保護シュラウド
６２、６４、６６  磁気ラッチ
６８  ラッチ
７０  サイドレール
７２  プラットフォーム駆動機構、デュアルベルト駆動機構
７４  駆動ベルト
７６  プーリ
７８  後部ペデスタル
８０  後端部
８２  可動式患者支持テーブル
８４  支持ホイール
８６  基部
８８  ブリッジ延長部
９０  プラットフォーム駆動機構
【図１】
2018500985.tif 000003
【図２】
2018500985.tif 000004
【図３】
2018500985.tif 000005
【図４】
2018500985.tif 000006
【図５】
2018500985.tif 000007
【図６】
2018500985.tif 000008
【図７】
2018500985.tif 000009
【図８】
2018500985.tif 000010
【図９】
2018500985.tif 000011
【図１０】
2018500985.tif 000012
【図１１】
2018500985.tif 000013
【図１２】
2018500985.tif 000014
【図１３】
2018500985.tif 000015
【図１４】
2018500985.tif 000016
【国際調査報告】
2018500985.tif 000017
2018500985.tif 000018